(57)【要約】【課題】コンパクトなパイプ矯正用工具を提供すること。【解決手段】パイプ矯正用工具は、パイプＰの内形をピン体２２Ａ〜２２Ｅの挿入で矯正するためのものである。ピン体２２Ａ〜２２Ｅは、異なる内径の複数のパイプＰに対応すべく外径の異なる複数が備えられており、外径の大きなピン体２２Ａ〜２２Ｄの内部には収容空間２４ａが形成され、当該収容空間２４ａには外径の小さなピン体２２Ｂ〜２２Ｅが取り出し可能に収容されている。【選択図】図１
2017100147.tif 000002
【特許請求の範囲】
【請求項１】
パイプの内形をピン体の挿入で矯正するためのパイプ矯正用工具であって、前記ピン体は異なる内径を有する複数のパイプに対応すべく外径の異なる複数が備えられており、外径の大きな前記ピン体の内部には収容空間が形成され、当該収容空間には外径の小さな前記ピン体が取り出し可能に収容されていることを特徴とするパイプ矯正用工具。
【発明の詳細な説明】
【技術分野】
【０００１】
本発明は、パイプの内形を矯正するためのパイプ矯正用工具に関する。
【背景技術】
【０００２】
この種の工具としては、例えば特許文献１及び特許文献２に開示されたものが存在する。これら工具には、異なる内径を有する複数のパイプに対応すべく、矯正用部位が複数設定されている。例えば、特許文献１の工具は、パイプの端部に挿入するための板状体が段階的な先細り形状とされており、矯正用部位が板状体の基端から先端に向かって、対応するパイプの内径の大きい順に複数設定されている。また、特許文献２の工具は、パイプの端部に挿入するための軸状の矯正用部位が、放射状に複数配置されている。
【先行技術文献】
【特許文献】
【０００３】
【特許文献１】特開２０００−１９７９３５号公報
【特許文献２】特開２００８−２６４８３５号公報
【発明の概要】
【発明が解決しようとする課題】
【０００４】
ところが、異なる内径を有する複数のパイプに対応するために、特許文献１の工具にあっては板状体が長くなり、また特許文献２の工具にあっては矯正用部位が増えて大型化する問題があった。
本発明の目的は、コンパクトなパイプ矯正用工具を提供すること。
【課題を解決するための手段】
【０００５】
上記目的を達成するために請求項１の発明は、パイプの内形をピン体の挿入で矯正するためのパイプ矯正用工具であって、前記ピン体は異なる内径を有する複数のパイプに対応すべく外径の異なる複数が備えられており、外径の大きな前記ピン体の内部には収容空間が形成され、当該収容空間には外径の小さな前記ピン体が取り出し可能に収容されていることを特徴としている。
【発明の効果】
【０００６】
本発明によれば、外径の小さなピン体を外径の大きなピン体の内部に収容できるため、異なる内径を有する複数のパイプに対応しつつパイプ矯正用工具をコンパクトにできる。
【図面の簡単な説明】
【０００７】
【図１】一実施形態のパイプ矯正用工具の縦断面図。
【図２】図１の分解図。
【図３】ピン体群の要部拡大断面図。
【図４】パイプ矯正用工具の縦断面図であり、図１のパイプよりも内径の小さなパイプに対応する場合を示す図。
【発明を実施するための形態】
【０００８】
本発明を具体化した一実施形態のパイプ矯正用工具は、合成樹脂製又は金属製でかつ横断面の内外形が円形をなすパイプに用いられ、当該パイプにおける端部の内形、特に当該内形の真円度を矯正するためのものである。また、当該パイプ矯正用工具は、異なる内径を有する複数のパイプに対して一つで対応可能となっている。以下、当該パイプ矯正用工具について、図１〜図４にしたがって詳細に説明する。
【０００９】
図１及び図２に示すように、本実施形態のパイプ矯正用工具は、矯正作業者が把持するための把持部材１１と、当該把持部材１１に対して着脱可能に取り付けられたピン体群２１とを備えている。把持部材１１は、合成樹脂製でかつ外形が樽形をなしている。把持部材１１の中心部には、第一端部１１ａの端面から第二端部１１ｂの端面にかけて連結孔１３が貫通形成されている。
【００１０】
前記連結孔１３において第一端部１１ａ側の部分は、拡径されて軸収容部１３ａをなしている。連結孔１３において第二端部１１ｂ側の部分は、拡径されてネジ頭収容部１３ｃをなしている。軸収容部１３ａは、横断面の内形が非真円形状をなしている。連結孔１３においてネジ頭収容部１３ｃの開口周囲は擂鉢状をなしており、当該擂鉢状の内周面が外形矯正部１３ｂとなっている。
【００１１】
前記ピン体群２１は、略同一形状でかつ寸法の異なる複数本（本実施形態では５本）の金属製のピン体２２Ａ〜２２Ｅと、同じく金属製の台座部材２３とを備えている。各ピン体２２Ａ〜２２Ｅは、対応するパイプＰ（図１にはピン体２２Ａが対応するパイプＰのみが示してある）の内径に応じた外径を有する円柱状をなしている。各ピン体２２Ａ〜２２Ｅの第一端部２２ａは、パイプＰへの挿入性を考慮して、先細り形状をなしている。
【００１２】
図２に示すように、前記ピン体群２１において、外径の最も小さいピン体２２Ｅ以外のピン体２２Ａ〜２２Ｄの中心部には、第一端部２２ａの端面から第二端部２２ｂの端面にかけてネジ挿通孔２４が貫通形成されている。ネジ挿通孔２４の第二端部２２ｂ側は、当該第二端部２２ｂの端面から第一端部２２ａの近傍にまで拡径されており、当該拡径部分が収容空間２４ａをなしている。収容空間２４ａの内径は、当該収容空間２４ａを有したピン体２２Ａ〜２２Ｄよりも一段階だけ小さなピン体２２Ｂ〜２２Ｅの外径に対して、若干大きく設定されている。ネジ挿通孔２４の第一端部２２ａ側は拡径されており、当該拡径部分がネジ頭収容部２４ｂをなしている。
【００１３】
図３に示すように、前記ピン体群２１において、外径の最も小さいピン体２２Ｅ以外のピン体２２Ａ〜２２Ｄには、収容空間２４ａの内周面に、軸線に沿う方向へと延びる直線状の回り止め凸部２２ｃが形成されている。ピン体群２１において、外径の最も大きいピン体２２Ａ以外のピン体２２Ｂ〜２２Ｄの外周面には、軸線に沿う方向へと延びる直線状の回り止め凹部２２ｄが形成されている。
【００１４】
なお、図３には、前記ピン体群２１のうち、ピン体２２Ｂ、２２Ｃについてのみ示してあるが、その他のピン体２２Ａ、２２Ｄ、２２Ｅについても同様に、回り止め凸部２２ｃ及び／又は回り止め凹部２２ｄが形成されている。
【００１５】
図２に示すように、前記台座部材２３は、円盤状の台座本体２５を備えている。外径の最も小さなピン体２２Ｅは、台座本体２５の第一端部２５ａにおいて、端面の中心部に突設されている。ピン体２４Ｅの中心部には、第一端部２２ａの端面で開口するネジ穴２３ａが形成されている。台座本体２５の第二端部２５ｂにおいて、端面の中心部には、連結軸２６が突設されている。連結軸２６は、横断面の外形が軸収容部１３ａの内形に整合した非真円形状をなしている。連結軸２６の中心部には、当該連結軸２６の先端面で開口するネジ穴２６ａが形成されている。
【００１６】
図１に示すように、前記台座部材２３は、連結軸２６が把持部材１１の軸収容部１３ａに挿入されることで、当該連結軸２６と軸収容部１３ａとの互いの非真円形状による篏合によって、把持部材１１に対して相対回動が不能となっている。把持部材１１の連結孔１３には、ネジ頭収容部１３ｃ側から台座固定ネジ２９が挿入され、当該台座固定ネジ２９が連結軸２６のネジ穴２６ａに螺入されることで、台座部材２３が把持部材１１に固定されている。
【００１７】
前記ピン体群２１は、外径の大きなピン体２２Ａ〜２２Ｄの収容空間２４ａに、当該ピン体２２Ａ〜２２Ｄよりも外径が一段階だけ小さいピン体２２Ｂ〜２２Ｅが収容されることで、全体として複数が階層的に入れ子状をなして一体化されている。この状態で、隣接するピン体２２Ａ〜２２Ｅは、一方の回り止め凸部２２ｃが他方の回り止め凹部２２ｄに挿入されており、当該回り止め凸部２２ｃと回り止め凹部２２ｄとの周方向への当接によって、相対回動が不能となっている（図３参照）。
【００１８】
そして、ピン体固定ネジ２８が、ピン体群２１において最も外側に位置するピン体２２Ａのネジ頭収容部２４ｂから、各ピン体２２Ａ〜２２Ｄのネジ挿通孔２４へと差し込まれ、当該ピン体固定ネジ２８がピン体２２Ｅのネジ穴２３ａに螺入されることで、各ピン体２２Ａ〜２２Ｅが互いに締め付けられて結合されている。
【００１９】
本実施形態のパイプ矯正用工具は、矯正作業者が、例えば図１の状態で把持部材１１を把持して、ピン体２２Ａ（ピン体群２１）をパイプＰの端部に挿入し、当該挿入状態にて把持部材１１を回動させることで、当該端部の内形の真円度を、ピン体２２Ａの外周面との周方向への摺接によって矯正する。
【００２０】
なお、前記パイプＰの内形の矯正が完了した後には、パイプＰからピン体２２Ａ（ピン体群２１）を抜き出して把持部材１１を裏返し、当該把持部材１１の外形矯正部１３ｂをパイプＰの端面の外周縁に押し付けて周方向へ摺接させることで、当該外周縁の真円度の矯正を行うことができる。
【００２１】
ここで、図４に示すように、図１で示すパイプＰよりも内径が二段階だけ小さいパイプＰを矯正する場合には、ピン体群２１においてピン体２２Ａよりも外径が二段階だけ小さなピン体２２Ｃを使用する。ピン体群２１における最も外側を、ピン体２２Ａからピン体２２Ｃへと入れ替えるには、ピン体固定ネジ２８を取り外してピン体群２１の結合を解除し、ピン体２２Ａ、２２Ｂをピン体群２１から取り除いた後、当該ピン体群２１をピン体固定ネジ２８により結合し直せばよい。
【００２２】
このように、本実施形態のパイプ矯正用工具は、外径の小さなピン体２２Ｂ〜２２Ｅを、外径の大きなピン体２２Ａ〜２２Ｄの内部（収容空間２４ａ）に収容できるため、異なる内径を有する複数のパイプＰに対応しつつパイプ矯正用工具をコンパクトにできる。
【００２３】
上記実施形態は次のように変更してもよい。
○ピン体群２１における各ピン体２２Ａ〜２２Ｅの相互の固定を、スナップ係合によって行うように構成すること。
【００２４】
○把持部材１１に、ピン体群２１から取り除いたピン体２２Ａ〜２２Ｄを保持するための保持部を設けること。例えば、把持部材１１において連結孔１３の周囲に、取り除いた各ピン体２２Ａ〜２２Ｄを挿入保持するための保持凹部を形成することが挙げられる。
【００２５】
○パイプの端部のフレア加工を行うためのパイプ矯正用工具に具体化すること。
【００２６】
○パイプ矯正用工具を電動工具に具体化すること。
【符号の説明】
【００２７】
２２Ａ〜２２Ｅ…ピン体、２４ａ…収容空間、Ｐ…パイプ。
【図１】
2017100147.tif 000003
【図２】
2017100147.tif 000004
【図３】
2017100147.tif 000005
【図４】
2017100147.tif 000006